(57)【要約】【課題】  モータ、ファン及び風路構成部品の振動により発生する箱体の騒音を低減すること。【解決手段】    この発明に係る冷蔵庫は、内箱と外箱との間に断熱材を充填して筐体を形成した冷蔵庫本体と、この本体の庫内に設けられ、冷却器、ファン及びモータ等を有する冷却器室と、この冷却器室に風路を介して連通して設けられた冷凍室と、冷却器室と風路とを区画し、モータが取り付けられるベルマウスと、このベルマウスの前面に設けられ、冷凍室への冷気の吹き出し口及び吸込口を有し、ベルマウスと組み合わされて冷凍室に取り付けられるファングリルと、内箱に設けられ、ファングリルの下端部を支持する支持具と、ファングリルに設けられ、ファン、モータ及びファングリルから伝達される振動を吸収する振動吸収部とを備えたものである。【選択図】        図１
2005134107.tif 000002
【特許請求の範囲】
【請求項１】
内箱と外箱との間に断熱材を充填して筐体を形成した冷蔵庫本体と、
この本体の庫内に設けられ、冷却器、ファン及びモータ等を有する冷却器室と、
この冷却器室に風路を介して連通して設けられた冷凍室と、
前記冷却器室と風路とを区画し、前記モータが取り付けられるベルマウスと、  このベルマウスの前面に設けられ、前記冷凍室への冷気の吹き出し口及び吸込口を有し、前記ベルマウスと組み合わされて前記冷凍室に取り付けられるファングリルと、
前記内箱に設けられ、前記ファングリルの下端部を支持する支持具と、
前記ファングリルに設けられ、前記ファン、モータ及びファングリルから伝達される振動を吸収する振動吸収部と、
を備えたことを特徴とする冷蔵庫。
【請求項２】
前記振動吸収部を凹形状部で構成したことを特徴とする請求項１記載の冷蔵庫。
【請求項３】
前記振動吸収部を薄肉部で構成したことを特徴とする請求項１記載の冷蔵庫。
【請求項４】
前記振動吸収部を切り欠き部で構成したことを特徴とする請求項１記載の冷蔵庫。
【請求項５】
前記切り欠き部を前記冷凍室からの戻り冷気の風路としたことを特徴とする請求項４記載の冷蔵庫。
【請求項６】
冷却器により生成された冷気を強制的にファンで送風し、前記ファンを駆動するモータがモータ軸から外に向って部分的に方形状部を有し、ケース部に収納される冷蔵庫において、
前記モータの方形状部を下側に配置し、
前記ケース部の上側を支える複数の上側支え部と、
前記モータ軸から方形状部へ放射状に離れた位置に設けられ、前記上側支え部より幅が狭く、配置間隔が広い前記ケース部の下側を支える複数の下側支え部と、
を備えたことを特徴とする冷蔵庫。
【請求項７】
前記上側支え部と下側支え部とをモータ軸に対して略対角位置に配設したことを特徴とする請求項６記載の冷蔵庫。
【請求項８】
前記下側支え部を、前記ベルマウス及びケース部に対して垂直な連続面を有する構成としたことを特徴とする請求項６記載の冷蔵庫。
【請求項９】
冷却器により生成された冷気を強制的にファンで送風し、前記ファン及び配線を有するモータを収納するケース部を風路を構成する風路構成部材に取り付けた冷蔵庫において、
前記ケース部の側面に前記モータの配線を係止する係止部を設けたことを特徴とする冷蔵庫。
【発明の詳細な説明】
【技術分野】
【０００１】
この発明は、冷蔵庫における静音化に関するものである。
【背景技術】
【０００２】
図９は従来の冷蔵庫の要部断面図である。図において、１は冷蔵庫、２は冷凍室、３は引き出し式の冷凍室扉、４は食品収納ケース、５は断熱材、６は冷却器室、７は水受け部１８により支えられた冷却器、８は冷凍室２への冷気の吹き出し口、９は冷凍室２内に取り付けられたベルマウス、１０はベルマウス９に取り付けられたフタ、１２はベルマウス９にブッシュ１１を介して支えられたモータ、１３はモータの軸、１４はモータ軸１３の先端に取り付けられたファン、１５はベルマウス９と組み合わさり冷凍室２内に組み付けられたファングリル、１８は冷却器室６の除霜水を受け流す水受け部、２０は霜取りヒータ、３５はファングリル１５を水受け部８に嵌合させる爪、３２は冷凍室２からの冷却器室６への戻り冷気である。
【０００３】
また、図１０は図９に示す矢印Ａより見た図で、モータ１２の取り付け部を示しており、２３は下側リブ、２４は上側リブ、２８はモータ１２の配線であり、図１２はモータ１２をベルマウス９に取り付けた後にフタ１０を取り付ける直前の状態を示す図である。
【０００４】
冷凍室２の奥側に位置する冷却器室６内の冷却器７により冷却器室６内は冷やされ、その冷気はモータ１２のモータ軸１３の回転により回転するファン１４により送風され、吹き出し口８から冷凍室２に送られる。冷凍室２内を冷やした戻り冷気３２はファングリル１５と水受け部１８の間を通り冷却器室６に戻る。
【０００５】
また、図１１は従来の冷蔵庫の要部断面図で、配線２８をモータに背面方向に曲げてはわせている。その為、配線２８が引張り気味になった場合、モータ１２の軸ぶれをおこすことがあった。
【特許文献１】特開平３−２７４３６６号公報
【発明の開示】
【発明が解決しようとする課題】
【０００６】
上記のような従来例の冷蔵庫では、モータ１２及びファン１４の振動はベルマウス９に伝わり固定されているファングリル１５に伝わり、水受け部８に伝達され冷蔵庫を振動させる。またファン１４により送風された風がファングリル１５を叩き振動させていた。
また、ベルマウス９にモータ１２を付け、その後にフタ１０をセットし、配線２８をフタ１０側を通す為、配線２８がひっぱり気味になった時モータ１２の軸ぶれの原因になっていた。
図１０の下側リブ２３の軸側の面が略水平である為、水滴３０をホールドしてしまいファン１４と水滴が当たり騒音発生の原因になっていた。
【０００７】
この発明は、かかる問題点を解消するためになされたもので、モータの振動、ファンの振動及びファンにより送風された風が風路構成部品をたたく振動が、風路構成部品やモータ保持部から水受け部に伝達して箱体から発生する騒音を低減することを目的とする。
【課題を解決するための手段】
【０００８】
この発明に係る冷蔵庫は、内箱と外箱との間に断熱材を充填して筐体を形成した冷蔵庫本体と、この本体の庫内に設けられ、冷却器、ファン及びモータ等を有する冷却器室と、この冷却器室に風路を介して連通して設けられた冷凍室と、冷却器室と風路とを区画し、モータが取り付けられるベルマウスと、このベルマウスの前面に設けられ、冷凍室への冷気の吹き出し口及び吸込口を有し、ベルマウスと組み合わされて冷凍室に取り付けられるファングリルと、内箱に設けられ、ファングリルの下端部を支持する支持具と、ファングリルに設けられ、ファン、モータ及びファングリルから伝達される振動を吸収する振動吸収部とを備えたものである。
【発明の効果】
【０００９】
この発明に係る冷蔵庫は、ファン及びモータが取り付けられるベルマウスをファングリルと組み合わせて庫内に取り付け、内箱の支持具でこれらを支持すると共に、ファングリルに振動を吸収する振動吸収部を設けたので、冷蔵庫本体の騒音を小さくすることができる。
【発明を実施するための最良の形態】
【００１０】
実施の形態１．
以下、この発明の実施の形態１を図面を参照して説明する。
図１、２はこの発明の実施の形態１を示す図で、図１は冷蔵庫の要部断面図、図２は冷蔵庫の要部斜視図である。図において、１は冷蔵庫、２は冷凍室、３は引き出し式の冷凍室扉、４は冷凍室２内に配設された食品収納ケース、５は外箱と内箱との間に充填された断熱材、６は冷凍室２の背面側に位置する冷却器室、３１は冷却器室６に取り付けられた冷却器保持具、７は冷却器保持具３１により保持された冷却器、８は冷凍室２への冷気の吹き出し口、９は冷凍室２内に取り付けられた風路構成部材であるベルマウス、１０はベルマウス９に取り付けられたフタ、１１はベルマウス９とフタ１０それぞれに取り付けられたブッシュ、１２はベルマウス９にブッシュ１１を介して支えられたモータ、１３はモータ軸、１４はモータ軸１３の先端に取り付けられたファン、１５はベルマウス９と組み合わされて冷凍室２内に組み付けられたファングリル、１６はファングリルの下側の支えリブ、１７はファングリル１５を支える冷凍室２内の支持具である凸形状部、１８は冷却器室６の除霜水を受け流す水受け部、１９はファングリル１５に設けられた振動吸収部である凹形状部、２０は霜取りヒータ、３３は凹形状部１９内で部分的に支える補助リブである。
【００１１】
冷凍室２の奥側に位置する冷却器室６内の冷却器７により冷却器室６内は冷やされ、その冷気はモータ１２のモータ軸１３の回転により回転するファン１４により送風され、吹き出し口８から冷凍室２に送られる。冷凍室２内を冷やした戻り冷気３２はファングリル１５の表面と支えリブ１６の間を通り冷却器室６に戻る。
【００１２】
送風する為に回転するファン１４の振動、モータ１２の回転振動、ファン１４によりあおられた風がファングリル１５を叩いた振動等がファングリル１５とベルマウス９から、それらの下方向での支えリブ１６を支える冷凍室２から突出した凸形状部１７へ伝達される間に凹形状部１９を有することにより、凹形状部１９の曲がるばね性により、伝達されにくくなり、騒音が小さくなる。
【００１３】
この発明に係る冷蔵庫は、振動吸収部を凹形状部で構成したものである。
【００１４】
この発明に係る冷蔵庫は、上記構成により、凹形状部の曲がるばね性により、振動が伝達されにくくなり、騒音が小さくなる。
【００１５】
実施の形態２．
図３はこの発明の実施の形態２を示す図で、冷蔵庫の要部断面図である。図において、１５はファングリル、２１は薄肉部である。
前記実施の形態１では、ファングリル１５の凹形状部１９により、振動の伝達を抑制したが、本実施の形態では凹形状部１９に代えて薄肉部２１を設けたものである。
これにより実施の形態１記載の冷蔵庫と同等の効果が得られる。
【００１６】
この発明に係る冷蔵庫は、振動吸収部を薄肉部で構成したものである。
【００１７】
この発明に係る冷蔵庫は、上記構成により、薄肉部の曲がるばね性により、振動が伝達されにくくなり、騒音が小さくなる。
【００１８】
実施の形態３．
図４はこの発明の実施の形態３を示す図で、冷蔵庫の要部斜視図である。図において、２２はファングリル１５に設けられた切り欠き部である。
実施の形態１記載の冷蔵庫の凹形状部１９が切り欠き部２２に代わったものである。これにより部分的に剛性が変わりばね性を持つことにより、実施の形態１記載の冷蔵庫と同等の効果が得られる。また、切り欠き部２２を戻り冷気３２の風路とすることにより戻り風路面積が大きく確保することができる。
【００１９】
この発明に係る冷蔵庫は、振動吸収部を切り欠き部で構成したものである。
【００２０】
この発明に係る冷蔵庫は、上記構成により、振動吸収部を切り欠き部で構成することにより、戻り風路面積を大きくすることができる。
【００２１】
実施の形態４．
図５はこの発明の実施の形態４を示す図で、冷蔵庫の要部正面図であり、図１の矢印Ａの方向から見たものである。図において、３４はモータ１２の入るケース部、２３はケース部３４とベルマウス９を支える下側支え部である下側リブ、２４は上側支え部である上側リブ、２５はファン１４により吸われる冷気、２６はモータ軸１３から円周外に突出した方形状部である。
ファン１４の回転により冷気２５が流れ込み送風され、モータ１２及びケース部３４を上側リブ２４により釣り下げ変形やぶれを下側リブ２３により抑える。
【００２２】
従来の技術に示したものより下側リブ２３の間隔が広くとられているので安定し、モータ１２の軸ぶれによるケース部３４の振動が抑えられる。また、下側リブ２３の間隔が広くとられているので、下側リブ２３のモータ軸１３側の面の傾斜が大きくなり、モータ軸１３側の面に水滴が付いても垂れ易くなり、氷として成長しづらくなる事によりファン１４との当たりでの音が発生しにくくなる。
【００２３】
この発明に係る冷蔵庫は、冷却器により生成された冷気を強制的にファンで送風し、ファンを駆動するモータがモータ軸から外に向って部分的に方形状部を有し、ケース部に収納される冷蔵庫において、モータの方形状部を下側に配置し、ケース部の上側を支える複数の上側支え部と、モータ軸から方形状部へ放射状に離れた位置に設けられ、上側支え部より幅が狭く、配置間隔が広いケース部の下側を支える複数の下側支え部とを備えたものである。
【００２４】
この発明に係る冷蔵庫は、上記構成により、モータの軸ぶれが少なくなって騒音が小さくなると共に、下側支え部での水滴ホールドが抑制され、当り音が発生しにくくなる。
【００２５】
実施の形態５．
図６はこの発明の実施の形態５を示す図で、冷蔵庫の要部正面図である。図に示すように、上側リブ２４と下側リブ２３とをモータ軸１３に対して略対角位置としたものである。
実施の形態４記載の冷蔵庫より下側リブ２３の間隔が広くとられているので、モータ１２の軸ぶれによるケース部３４の振動がさらに抑えられる。また、下側リブ２３の間隔が広くとられているので下側リブのモータ軸１３側の面の傾斜がさらに大きくなり、モータ軸１３側の面に水滴が付いても垂れ易くなり、氷として成長しづらくなる事によりファン１４との当たりでの音がさらに発生しにくくなる。
【００２６】
この発明に係る冷蔵庫は、上側支え部と下側支え部とをモータ軸に対して略対角位置に配設さたものである。
【００２７】
この発明に係る冷蔵庫は、上記構成により、モータの軸ぶれによるケース部の振動がさらに抑えられる。
【００２８】
実施の形態６．
図７はこの発明の実施の形態６を示す図で、冷蔵庫の要部斜視図である。図において、２７は下側リブ２３に垂直な補助リブである。
下側リブ２３がベルマウス９及びケース部３４に対して垂直でモータ軸方向に面が小さい為、モータ軸側に水滴が付いてファン当たりによる音の発生の原因になりづらくなる。また、冷気が通る時のじゃまになりづらくなっている。また、ケース部３４のぶれに対しても有利である。
【００２９】
この発明に係る冷蔵庫は、下側支え部を、ベルマウス及びケース部に対して垂直な連続面を有する構成としたものである。
【００３０】
この発明に係る冷蔵庫は、上記構成により、モータ軸側に水滴が付いてファン当たりによる音の発生の原因になりづらくなる。
【００３１】
実施の形態７．
図８はこの発明の実施の形態７を示す図で、冷蔵庫の斜視図である。図において、２８はモータの配線、２９はモータ１２の側面側でベルマウス９より突出し上下方向に交互に開放された係止部である爪であり、３５は配線２８の出入口の下爪である。
図１１に示した従来の冷蔵庫では配線２８をモータ背面方向に曲げてはわせる為図示方向に引っ張り力が働きファン１４をずらすことがあった。
本実施の形態による図８の構成では取り付け時に配線２８の付いたモータ１２を置き配線２８出口から横方向に配線２８をとりまわす。
取り付け時にモータ軸１３を中心にした方向の回転ストレスしかかからない為、軸ぶれが少なくなり、ぶれにより発生する音が軽減される。また、図示上下方向に開放した爪２９を交互にはわせる事により配線２８のはずれによるファン１４と配線２８の絡みを防止できる。
また、下爪３５は配線２８がモータ１２の下側を通る間をカバーする為、ベルマウス９を冷蔵庫１に取り付ける際に冷却器７のエッジ部から配線２８を保護する。
【００３２】
この発明に係る冷蔵庫は、冷却器により生成された冷気を強制的にファンで送風し、ファン及び配線を有するモータを収納するケース部を風路を構成する風路構成部材に取り付けた冷蔵庫において、ケース部の側面にモータの配線を係止する係止部を設けたものである。
【００３３】
この発明に係る冷蔵庫は、上記構成により、取付け時にモータ軸の回転方向の荷重しかかからないので、軸ぶれが少なくなり、騒音が小さくなると共に、配線のはずれによるファンと配線の絡みを抑制し、保護することができる。
【図面の簡単な説明】
【００３４】
【図１】この発明の実施の形態１を示す要部断面図である。
【図２】実施の形態１を示す要部斜視図である。
【図３】実施の形態２を示す要部断面図である。
【図４】実施の形態３を示す要部斜視図である。
【図５】実施の形態４を示す要部正面図である。
【図６】実施の形態５を示す要部正面図である。
【図７】実施の形態６を示す要部斜視図である。
【図８】実施の形態７を示す要部斜視図である。
【図９】従来の冷蔵庫を示す要部断面図である。
【図１０】従来の冷蔵庫を示す要部正面図である。
【図１１】従来の冷蔵庫を示す要部断面図である。
【図１２】従来の冷蔵庫を示す要部斜視図である。
【符号の説明】
【００３５】
１  冷蔵庫、２  冷凍室、３  冷凍室扉、４  食品収納ケース、５  断熱材、６  冷却器室、７  冷却器、８  吹き出し口、９  ベルマウス、１０  フタ、１１  ブッシュ、１２  モータ、１３  モータ軸、１４  ファン、１５  ファングリル、１６  支えリブ、１７  凸形状部、１８  水受け部、１９  凹形状部、２０  霜取りヒータ、２１  薄肉部、２２  切り欠き部、２３  下側リブ、２４  上側リブ、２５  冷気、２６  方形状部、２７  補助リブ、２８  配線、２９  爪、３０  水滴、３１  冷却器保持具、３２  戻り冷気、３３  補助リブ、３４  ケース部、３５  下爪。
【図１】
2005134107.tif 000003
【図２】
2005134107.tif 000004
【図３】
2005134107.tif 000005
【図４】
2005134107.tif 000006
【図５】
2005134107.tif 000007
【図６】
2005134107.tif 000008
【図７】
2005134107.tif 000009
【図８】
2005134107.tif 000010
【図９】
2005134107.tif 000011
【図１０】
2005134107.tif 000012
【図１１】
2005134107.tif 000013
【図１２】
2005134107.tif 000014